(57)【特許請求の範囲】
【請求項１】
線路上での列車の在線状態を示す列車在線情報を上位装置から受信し、受信した前記列車在線情報をネットワーク経由で情報端末装置に配信し、前記情報端末装置に前記列車在線情報をリアルタイムで表示させる列車在線情報配信装置であって、
前記上位装置から受信した前記列車在線情報を時刻データと共に記憶する列車在線情報記憶手段と、
再現表示開始時刻を指定した時刻指定リクエストを受信すると、再現表示開始時刻に基づいて前記列車在線情報記憶手段を検索し、再現表示開始時刻の前記列車在線情報を生成し、前記時刻指定リクエストを受け付けた前記情報端末装置宛に、生成した再現表示開始時刻の前記列車在線情報を配信すると共に、再現表示開始時刻以降の前記列車在線情報を順次配信する再現データ配信手段と、
前記上位装置から受信した前記列車在線情報に基づいて障害判定を行い、障害発生と判定した場合には、前記列車在線情報と共に障害データを列車在線情報記憶手段に記憶させる列車在線情報蓄積手段とを具備し、
前記再現データ配信手段は、前記列車在線情報記憶手段に記憶された前記列車在線情報の配信を指示する再現リクエストを受信すると、再現表示開始時刻を指定する、障害発生時刻を判別可能な時刻指定画面を生成して前記再現リクエストを受け付けた前記情報端末装置宛に配信することを特徴とする列車在線情報配信装置。
【請求項２】
前記列車在線情報蓄積手段は、前記上位装置から受信した前記列車在線情報に基づいて、列車の在線している線路上の区間の数が予め設定されている閾値以上か否かの停電障害判定を行うことを特徴とする請求項１記載の列車在線情報配信装置。
【請求項３】
前記列車在線情報蓄積手段は、前記上位装置から受信した前記列車在線情報に基づいて、列車が在線しているが列車を特定することができない線路上の区間があるか否かの故障障害判定を行うことを特徴とする請求項１又は２記載の列車在線情報配信装置。
【請求項４】
前記列車在線情報蓄積手段は、前記上位装置から受信した前記列車在線情報に基づいて線路上の１つの区間に予め設定されている時間以上、列車が在線しているか否かの故障障害判定を行うことを特徴とする請求項１乃至３のいずれかに記載の列車在線情報配信装置。
【請求項５】
前記再現データ配信手段は、前記情報端末装置によって指定された時間間隔で再現表示開始時刻以降の前記列車在線情報を配信すること特徴とする請求項１乃至４のいずれに記載の列車在線情報配信装置。
【発明の詳細な説明】
【技術分野】
【０００１】
本発明は、列車在線情報を駅務室等に備えた情報端末装置や、保守要員等用のパーソナルコンピュータ等の情報端末装置に配信して表示させる列車在線情報配信装置に関する。
【背景技術】
【０００２】
近年、列車の運行を管理する運行管理装置から通信回線を介して列車在線情報を受信し、受信した列車の在線状態を情報端末装置に情報配信し、リアルタイムで表示させる列車在線情報配信装置が用いられている（例えば、特許文献１参照）。このような列車在線情報配信装置では、情報端末装置で現在の列車在線状態をリアルタイムでモニタリングすることが可能になっている。
【先行技術文献】
【特許文献】
【０００３】
【特許文献１】特開２００７−１１２３２１号公報
【発明の概要】
【発明が解決しようとする課題】
【０００４】
しかしながら、従来技術においては、リアルタイムな列車在線情報の配信のみであり、過去の運行情報を確認することができないために、停電や計画停電が発生した場合には、現在列車が停止している在線状態を知ることができず、運転再開までに長時間を要しているという問題点があった。また、情報端末装置側で受信した過去の列車在線情報を記録して対応することもできるが、この場合には、過去の全ての列車在線情報を蓄積するには情報端末装置を常時稼働させておく必要があり、現実的ではない。
【０００５】
本発明は斯かる問題点を鑑みてなされたものであり、その目的とするところは、過去の運行情報を情報端末装置で簡単に確認することができる列車在線情報配信装置を提供する点にある。
【課題を解決するための手段】
【０００６】
本発明に係る列車在線情報配信装置は、線路上での列車の在線状態を示す列車在線情報を上位装置から受信し、受信した前記列車在線情報をネットワーク経由で情報端末装置に配信し、前記情報端末装置に前記列車在線情報をリアルタイムで表示させる列車在線情報配信装置であって、前記上位装置から受信した前記列車在線情報を時刻データと共に記憶する列車在線情報記憶手段と、再現表示開始時刻を指定した時刻指定リクエストを受信すると、再現表示開始時刻に基づいて前記列車在線情報記憶手段を検索し、再現表示開始時刻の前記列車在線情報を生成し、前記時刻指定リクエストを受け付けた前記情報端末装置宛に、生成した再現表示開始時刻の前記列車在線情報を配信すると共に、再現表示開始時刻以降の前記列車在線情報を順次配信する再現データ配信手段と、前記上位装置から受信した前記列車在線情報に基づいて障害判定を行い、障害発生と判定した場合には、前記列車在線情報と共に障害データを列車在線情報記憶手段に記憶させる列車在線情報蓄積手段とを具備し、前記再現データ配信手段は、前記列車在線情報記憶手段に記憶された前記列車在線情報の配信を指示する再現リクエストを受信すると、再現表示開始時刻を指定する、障害発生時刻を判別可能な時刻指定画面を生成して前記再現リクエストを受け付けた前記情報端末装置宛に配信することを特徴とする。
また、前記列車在線情報蓄積手段は、前記上位装置から受信した前記列車在線情報に基づいて、列車の在線している線路上の区間の数が予め設定されている閾値以上か否かの停電障害判定を行っても良い。
また、前記列車在線情報蓄積手段は、前記上位装置から受信した前記列車在線情報に基づいて、列車が在線しているが列車を特定することができない線路上の区間があるか否かの故障障害判定を行っても良い。
また、前記列車在線情報蓄積手段は、前記上位装置から受信した前記列車在線情報に基づいて線路上の１つの区間に予め設定されている時間以上、列車が在線しているか否かの故障障害判定を行っても良い。
また、前記再現データ配信手段は、前記情報端末装置によって指定された時間間隔で再現表示開始時刻以降の前記列車在線情報を配信しても良い。
【発明の効果】
【０００７】
本発明の列車在線情報配信装置は、上位装置から受信した列車在線情報を時刻データと共に記憶する列車在線情報記憶手段と、再現表示開始時刻を指定した時刻指定リクエストを受信すると、再現表示開始時刻に基づいて列車在線情報記憶手段を検索し、再現表示開始時刻の列車在線情報を生成し、時刻指定リクエストを受け付けた情報端末装置宛に、生成した再現表示開始時刻の列車在線情報を配信すると共に、表示開始時刻以降の前記列車在線情報を順次配信する再現データ配信手段とを設けることで、停電や計画停電が発生した場合でも、現在の列車在線状態が確認できるので、運転再開が迅速に行える、また、過去の運行情報を簡単に確認することができるという効果を奏する。
【図面の簡単な説明】
【０００８】
【図１】本発明に係る列車在線情報配信装置の実施の形態の構成を示すブロック図である。
【図２】図１に示すＴＩＤデータ配信部で生成されるＴＩＤ画面例を示す図である。
【図３】図１に示すＴＩＤデータ配信部で生成されるＴＩＤ画面例を示す図である。
【図４】図１に示すＴＩＤデータ配信部の動作を説明するためのフローチャートである。
【図５】図１に示すＴＩＤデータ蓄積部の動作を説明するためのフローチャートである。
【図６】図１に示す再現データ配信部の動作を説明するためのフローチャートである。
【図７】図１に示す再現データ配信部の動作を説明するための説明図である。
【図８】図１に示す再現データ配信部の動作を説明するための説明図である。
【発明を実施するための形態】
【０００９】
以下に、本発明の好適な実施の形態を添付図面に基づいて説明する。
【００１０】
本実施の形態の列車在線情報配信装置は、図１を参照すると、運行管理装置２０から線路上の列車の在線状態を示す列車在線情報を受信し、インターネット３０を介して受信した列車在線情報を情報端末装置４０に配信する配信サーバ１０である。なお、インターネット３０は、電話回線網、ＩＳＤＮ回線網、専用線、移動体通信網、通信衛星回線、ＣＡＴＶ回線網等の各種通信回線網と、それらを接続するインターネットサービスプロバイダや基地局等を含む。
【００１１】
運行管理装置２０は、列車の運行を管理するための装置であり、所定のスケジュールに従って信号機・ポイントの切換や踏切遮断機及び警報機の作動を管理する。また、運行管理装置２０は、線路上の各区間に配置され、線路上の区間に列車が存在するか否かを検知する軌道回路（不図示）からの信号を受信することで、列車の在線状態を示す列車在線情報や列車の遅れ時分等を示す遅延情報等を管理している。列車在線情報及び遅延情報は、運行管理装置２０によって、列車の運行状況を表示する列車運行状況表示装置（Train Information Display）の表示情報（以下、ＴＩＤデータと称す）として、予め設定された所定時間毎に配信サーバ１０に対して出力される。
【００１２】
配信サーバ１０は、プログラム制御によって動作するパーソナルコンピュータ等の情報処理装置であり、図１を参照すると、ＴＩＤデータ受信部１１と、ＴＩＤデータ配信部１２と、送受信部１３と、ＴＩＤデータ蓄積部１４と、ＴＩＤデータ記憶部１５と、再現データ配信部１６とを備えている。
【００１３】
ＴＩＤデータ受信部１１は、運行管理装置２０と直接もしくはインターネット等のネットワークを介して情報通信を行う機能を有する。ＴＩＤデータ受信部１１は、所定時間毎に運行管理装置２０からＴＩＤデータを受信し、受信したＴＩＤデータをＴＩＤデータ配信部１２に出力する。
【００１４】
ＴＩＤデータ配信部１２は、ＴＩＤデータを受信すると、直近に受信したＴＩＤデータと比較することで、直近に受信したＴＩＤデータとの差分を示す変化データを生成し、生成した変化データをＴＩＤデータ蓄積部１４に出力すると共に、送受信部１３を介して生成した変化データを最新の列車在線情報として情報端末装置４０に配信する。なお、変化データの配信は、更新リクエストを受信している情報端末装置４０に対して行われ、情報端末装置４０から接続リクエストを受信した場合には、直近のＴＩＤデータを最新の列車在線情報として情報端末装置４０に配信する。
【００１５】
送受信部１３は、インターネット３０を介して情報端末装置４０と情報通信を行う機能を有する。送受信部１３は、インターネット３０を介して情報端末装置４０から受信した各種リクエストを、その種類に応じてＴＩＤデータ配信部１２もしくは再現データ配信部１６に振り分けると共に、ＴＩＤデータ配信部１２及び再現データ配信部１６で生成された変化データやＴＩＤデータを、インターネット３０を介して情報端末装置４０に送信する。また、送受信部１３は、ＦＴＰ（File Transfer Protocol）による、ＴＩＤデータ記憶部１５に記憶された各種データファイルのダウンロードと、ＴＩＤデータ記憶部１５への各種データファイルのアップロードを管理する。
【００１６】
情報端末装置４０は、通信機能を備えたパーソナルコンピュータ等のプログラム制御によって動作する情報処理装置であり、配信サーバ１０にインターネット３０を介してアクセスする機能（例えば、Ｗｅｂブラウザ）を備えている。情報端末装置４０は、ユーザの操作等に応じて各種リクエストを配信サーバ１０に送信する機能と、配信サーバ１０から配信されたＴＩＤデータに基づいて、図２に示すようなＴＩＤ画面５０を生成して表示させる機能と、配信サーバ１０から配信された変化データに基づいて、ＴＩＤ画面５０を更新する機能とを有している。
【００１７】
ＴＩＤ画面５０は、列車在線情報を表示するための線路を模式した画面であり、線路上の区間に列車が在線しているか否かを表示するための在線表示領域５１と、在線している列車番号を表示する列車番号表示領域５２と、駅名を表示する駅名表示領域５３と、各種メッセージを表示するメッセージ表示領域５４と、再現指示操作領域６０とからなる。図２に示す例では、在線表示領域５１において、列車が在線している線路上の区間が網掛けで表現されており、列車が在線している線路上の区間の近傍に配置された列車番号表示領域５２に在線している列車の列車番号が表示されている。再現指示操作領域６０は、通常表示と再現表示とを選択する表示種類選択欄６１と、表示の開始や終了を支持する指示ボタン６２と、再現表示時の表示速度を選択する表示速度選択欄６３と、再現表示時の一時停止を指示する一時停止ボタン６４とがレイアウトされている。
【００１８】
配信サーバ１０のＴＩＤデータ蓄積部１４は、ＴＩＤデータ配信部１２から入力された変化データを時刻データと共に蓄積する。また、ＴＩＤデータ蓄積部１４は、入力された変化データに基づいて障害発生の有無を判定する障害判定を行う。障害判定の結果、障害発生と判定した場合には、ＴＩＤデータ蓄積部１４は、入力された変化データに障害データを付加して蓄積する。本実施の形態では、障害判定として、列車の在線している線路上の区間の数が予め設定されている閾値以上か否かの停電障害判定を行う。軌道回路は、フェールセーフによって停電時には在線となり、図３に示すように、広い範囲の在線表示領域５１において、列車が在線していることになってしまう。従って、入力された変化データに基づいて現在の列車在線情報を把握することで停電の発生の可能性を判定することができる。また、障害判定として、列車が在線しているが列車を特定することができない線路上の区間があるか否か、また、線路上の１つの区間に予め設定されている時間以上、列車が在線しているか否かの故障障害判定を行う。軌道回路は、フェールセーフによって故障時には在線となると共に、列車故障によっても同一区間が在線状態となる。従って、過去分の列車在線情報と入力された変化データに基づく現在の列車在線情報を把握することで、軌道回路や列車の故障の可能性を判定することができる。さらに、ＴＩＤデータ蓄積部１４は、蓄積した変化データを３０分ごとにファイル化し、再現表示用ＴＩＤデータ（当日用）としてＴＩＤデータ記憶部１５に記憶させる。
【００１９】
ＴＩＤデータ記憶部１５は、過去分の列車在線情報を記憶するためのＨＤＤ等の列車在線情報記憶手段であり、再現表示用ＴＩＤデータ（当日用）と、再現表示用ＴＩＤデータ（直近一週間用）と、再現表示用ＴＩＤデータ（指定日用）とがファイル化されて記憶される。
【００２０】
再現データ配信部１６は、情報端末装置４０から再現リクエストを受信した場合には、再現表示開始時刻を指定する時刻指定画面を生成して再現リクエストを受け付けた情報端末装置４０宛に配信する。また、再現データ配信部１６は、再現表示開始時刻を指定した時刻指定リクエストを受信した場合には、再現表示開始時刻に基づいてＴＩＤデータ記憶部１５を検索し、時刻指定リクエストを受け付けた情報端末装置４０宛に再現表示開始時刻のＴＩＤデータを配信すると共に、再現表示開始時刻以降の変化データを指定された時間間隔で配信する。
【００２１】
次に、配信サーバ１０におけるＴＩＤデータ配信部１２の動作について図４を参照して詳細に説明する。
図４を参照すると、ＴＩＤデータ配信部１２は、運行管理装置２０からのＴＩＤデータの受信と（ステップＡ１）、情報端末装置４０からの更新リクエストの受信と（ステップＡ２）、情報端末装置４０からの接続リクエストの受信とを監視している（ステップＡ３）。
【００２２】
ステップＡ２で情報端末装置４０から更新リクエストが受信されると、ＴＩＤデータ配信部１２は、受信した更新リクエストを記憶してステップＡ１に戻る。また、ステップＡ３で情報端末装置４０から接続リクエストが受信されると、ＴＩＤデータ配信部１２は、直近のＴＩＤデータを、接続リクエストを受け付けた情報端末装置４０宛に配信し（ステップＡ５）、ステップＡ１に戻る。
【００２３】
ステップＡ１で運行管理装置２０からＴＩＤデータを受信すると、ＴＩＤデータ配信部１２は、直近に受信したＴＩＤデータと比較することで、直前に受信したＴＩＤデータとの差分を示す変化データを生成する（ステップＡ６）。次に、ＴＩＤデータ配信部１２は、ステップＡ２で受信された更新リクエストが記憶されているか否かを判断する（ステップＡ７）。更新リクエストが記憶されている場合には、ＴＩＤデータ配信部１２は、更新リクエストを受け付けた情報端末装置４０宛に生成した変化データを配信し（ステップＡ８）、受信したＴＩＤデータを直近のＴＩＤデータとして記憶し（ステップＡ９）、ステップＡ１に戻る。更新リクエストが記憶されていない場合には、ＴＩＤデータ配信部１２は、ステップＡ９を実行した後、ステップＡ１に戻る。なお、更新リクエストは、変化データを配信した後に消去される。
【００２４】
次に、配信サーバ１０におけるＴＩＤデータ蓄積部１４の動作について図５を参照して詳細に説明する。
図５を参照すると、ＴＩＤデータ蓄積部１４は、ＴＩＤデータ配信部１２からの変化データの受信を監視している（ステップＢ１）。ステップＢ１で情報端末装置４０から更新リクエストが受信されると、ＴＩＤデータ蓄積部１４は、入力された変化データに基づいて障害発生の有無を判定する障害判定を行い（ステップＢ２）、停電障害であるか否か（ステップＢ３）、故障障害であるか否か（ステップＢ４）が判断される。
【００２５】
ステップＢ３で停電障害である場合には、ＴＩＤデータ蓄積部１４は、入力された変化データと共に、時刻データと停電障害であることを示す停電障害データを蓄積し、ステップＢ１に戻る。また、ステップＢ４で停電障害である場合には、ＴＩＤデータ蓄積部１４は、入力された変化データと共に、時刻データと故障障害であることを示す故障障害データを蓄積し、ステップＢ１に戻る。さらに、停電障害及び故障障害でない場合には、入力された変化データと共に、時刻データを蓄積し、ステップＢ１に戻る。なお、本実施の形態では、ＴＩＤデータ蓄積部１４においては時刻データを付加するように構成したが、変化データ自体に時刻データが含まれている場合には、時刻データを付加する必要はない。また、ＴＩＤデータ蓄積部１４からの変化データを蓄積するように構成したが、各時刻のＴＩＤデータを蓄積するようにしても良い。
【００２６】
次に、配信サーバ１０における再現データ配信部１６の動作について図６乃至図８を参照して詳細に説明する。
図６を参照すると、ＴＩＤデータ配信部１２は、情報端末装置４０からの再現リクエストの受信と（ステップＣ１）、情報端末装置４０からの時刻指定リクエストの受信と（ステップＣ２）、情報端末装置４０からの再現停止リクエストの受信とを監視している（ステップＣ３）。
【００２７】
情報端末装置４０において、図７（ａ）に示すように、ＴＩＤ画面５０の再現指示操作領域６０の表示種類選択欄６１で再現表示を選択し、図７（ｂ）に示すように、指示ボタン６２をクリックして再現表示の開始を指示すると、情報端末装置４０から配信サーバ１０に再現リクエストが送信される。ステップＣ１で情報端末装置４０から再現リクエストが受信されると、再現データ配信部１６は、図７（ｃ）に示すような再現表示開始時刻を指定する時刻指定画面７０を生成し、再現リクエストを受け付けた情報端末装置４０宛に生成した時刻指定画面７０を配信し（ステップＣ５）、ステップＣ１に戻る。
【００２８】
時刻指定画面７０は、再生日を選択する再生日選択欄７１と、再生時刻を選択する再生時刻選択欄７２と、再現表示の再生を指示する再生指示ボタン７３と、キャンセルボタン７４とがレイアウトされている。
【００２９】
再現データ配信部１６は、時刻指定画面７０を生成する際に、ＴＩＤデータ記憶部１５に記憶されている再現表示用ＴＩＤデータを検索することで、再現表示用ＴＩＤデータが記憶されている日時データと、障害データとを取得し、取得した日時データ及び障害データに基づいて時刻指定画面７０の再生日選択欄７１及び再生時刻選択欄７２を生成する。
図７（ｄ）、図８（ａ）、（ｂ）に示すように、再生日選択欄７１及び再生時刻選択欄７２では、プルダウンメニューで再生日及び再生時刻を選択できるようになっており、ＴＩＤデータ記憶部１５に記憶されている再現表示用ＴＩＤデータの日時が選択項目となる。また、障害データに基づいて障害が発生した日時は、色や文字種等で他の日時と区別して表示される。なお、障害の発生や種類をマーク等で表記するようにしても良い。これにより、時刻指定画面７０における再生開始時刻指定操作時に、障害の種類や発生時刻を把握することができる。例えば、情報端末装置４０において、図８（ｂ）に示すように、障害発生の前の時刻を指定して、障害発生の前のＴＩＤデータを配信させることで、障害発生の直前のＴＩＤ画面５０を表示させることができ、障害発生の前の列車在線状態を簡単に把握することができる。
【００３０】
情報端末装置４０において、時刻指定画面７０の再生指示ボタン７３をクリックして再現表示の再生開示を指示すると、情報端末装置４０から配信サーバ１０に時刻指定リクエストが送信される。ステップＣ２で情報端末装置４０から時刻指定リクエストが受信されると、再現データ配信部１６は、時刻指定リクエストによって指定された再現表示開始時刻のＴＩＤデータをＴＩＤデータ記憶部１５から取得し（ステップＣ６）、時刻指定リクエストを受け付けた情報端末装置４０宛に取得したＴＩＤデータを配信する（ステップＣ７）。時刻指定リクエストを受け付けた情報端末装置４０宛には、指定された間隔で再現表示開始時刻以降の変化データを順次配信する（ステップＣ８）。なお、変化データを配信する間隔は、図８（ｃ）に示すように、ＴＩＤ画面５０の再現指示操作領域６０の表示速度選択欄６３で選択することができる。また、情報端末装置４０で生成されるＴＩＤ画面５０は、ＴＩＤデータ配信部１２で生成されるＴＩＤ画面５０と色やレイアウトを変更することで、再現表示であることを簡単に把握可能に構成すると好適である。
【００３１】
情報端末装置４０の再現表示中において、ＴＩＤ画面５０の再現指示操作領域６０の指示ボタン６２をクリックして再現表示の終了を指示すると、情報端末装置４０から配信サーバ１０に再現停止リクエストが送信される。ステップＣ３で情報端末装置４０から再現停止リクエストが受信されると、再現データ配信部１６は、再現停止リクエストを受け付けた情報端末装置４０への変化データの配信を停止させ（ステップＣ９）、ステップＣ１に戻る。
【００３２】
なお、本実施の形態では、変化データに基づいて障害の発生を判定して、障害が発生した時刻データを再生開始時刻指定操作時に表示するように構成したが、所定時間以上の遅延が発生した時刻データを再生開始時刻指定操作時に表示するようにしても良い。この場合には、遅延が発生した時刻前後のＴＩＤ画面を表示させることで遅延発生の解析を簡単に行うことができる。
【００３３】
以上、説明したように本実施の形態は、線路上での列車の在線状態を示す列車在線情報を運行管理装置２０から受信し、受信した列車在線情報をインターネット３０経由で情報端末装置４０に配信し、情報端末装置４０に列車在線情報をリアルタイムで表示させる配信サーバ１０であって、運行管理装置２０から受信した列車在線情報を時刻データと共に記憶するＴＩＤデータ記憶部１５と、再現表示開始時刻を指定した時刻指定リクエストを受信すると、再現表示開始時刻に基づいてＴＩＤデータ記憶部１５を検索し、再現表示開始時刻の列車在線情報を生成し、時刻指定リクエストを受け付けた情報端末装置４０宛に、生成した再現表示開始時刻の列車在線情報を配信すると共に、再現表示開始時刻以降の列車在線情報を順次配信する再現データ配信部１６を設けたことにより、停電や計画停電が発生した場合でも、現在の列車在線状態が確認できるので、運転再開が迅速に行える、また、過去の運行情報を簡単に確認することができるという効果を奏する。
【００３４】
また、本実施の形態によれば、再現データ配信部１６において、ＴＩＤデータ記憶部１５に記憶された列車在線情報の配信を指示する再現リクエストを受信すると、再現表示開始時刻を指定する時刻指定画面を生成して再現リクエストを受け付けた情報端末装置４０宛に配信しても良い。この場合には、時刻指定画面を用いることで情報端末装置４０において簡単に再現表示開始時刻を指定することができる。
【００３５】
また、本実施の形態によれば、運行管理装置２０から受信した列車在線情報に基づいて障害判定を行い、障害発生と判定した場合には、列車在線情報と共に障害データをＴＩＤデータ記憶部１５に記憶させるＴＩＤデータ蓄積部１４を具備し、再現データ配信部１６は、障害発生時刻を判別可能な時刻指定画面を生成しても良い。この場合には、情報端末装置４０において障害発生時刻を勘案した再現表示開始時刻を指定することができる。
【００３６】
また、本実施の形態によれば、ＴＩＤデータ蓄積部１４は、運行管理装置２０から受信した列車在線情報に基づいて、列車の在線している線路上の区間の数が予め設定されている閾値以上か否かの停電障害判定を行っても良い。この場合には、情報端末装置４０において停電障害が発生した時刻を勘案した再現表示開始時刻を指定することができる。
【００３７】
また、本実施の形態によれば、ＴＩＤデータ蓄積部１４は、運行管理装置２０から受信した列車在線情報に基づいて、列車が在線しているが列車を特定することができない線路上の区間があるか否かの故障障害判定を行っても良い。この場合には、情報端末装置４０において軌道回路の故障障害が発生した時刻を勘案した再現表示開始時刻を指定することができる。
【００３８】
また、本実施の形態によれば、ＴＩＤデータ蓄積部１４は、運行管理装置２０から受信した前記列車在線情報に基づいて線路上の１つの区間に予め設定されている時間以上、列車が在線しているか否かの故障障害判定を行っても良い。この場合には、情報端末装置４０において軌道回路もしくは列車の故障障害が発生した時刻を勘案した再現表示開始時刻を指定することができる。
【００３９】
また、本実施の形態によれば、再現データ配信部１６は、情報端末装置４０によって指定された時間間隔で再現表示開始時刻以降の前記列車在線情報を配信しても良い。
【００４０】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【符号の説明】
【００４１】
１０  配信サーバ
１１  ＴＩＤデータ受信部
１２  ＴＩＤデータ配信部
１３  送受信部
１４  ＴＩＤデータ蓄積部
１５  ＴＩＤデータ記憶部
１６  再現データ配信部
２０  運行管理装置
３０  インターネット
４０  情報端末装置
５０  ＴＩＤ画面
５１  在線表示領域
５２  列車番号表示領域
５３  駅名表示領域
５４  メッセージ表示領域
６０  再現指示操作領域
６１  表示種類選択欄
６２  指示ボタン
６３  表示速度選択欄
６４  一時停止ボタン
７０  時刻指定画面
７１  再生日選択欄
７２  再生時刻選択欄
７３  再生指示ボタン
７４  キャンセルボタン
【図１】
0005557215.tif 000002
【図２】
0005557215.tif 000003
【図３】
0005557215.tif 000004
【図４】
0005557215.tif 000005
【図５】
0005557215.tif 000006
【図６】
0005557215.tif 000007
【図７】
0005557215.tif 000008
【図８】
0005557215.tif 000009